(57)【要約】【課題】視覚的・感覚的に極めて操作しやすく、とっさのときでも万人がスムーズかつ確実に消火活動を行え、しかも安価に提供できる消火ガス噴射器具を提供する。【解決手段】内部に充填された消火ガスを封止する封板７が設けられた頭部６を有するボンベ１と、上記ボンベ１を収容する収容体と、上記封板７の封止を解除するための撃針２０と、上記撃針２０を動作させてボンベ１内部の消火ガスの噴出を開始させる押圧操作部２１と、上記噴出する消火ガスを所定の方向に噴射する噴射口２２を有する噴射構造部３とを備え、上記収容体はエアゾールやスプレー用の缶体２であり、上記缶体２は、缶体２上部の目金蓋１１がボンベ１の頭部６に接合されて封板７を外向けにした状態でボンベ１を収容し、上記噴射構造部３は、上記ボンベ１の頭部６と缶体２との接合部に取り付けられている。【選択図】図１
2006333892.tif 000002
【特許請求の範囲】
【請求項１】
内部に充填された消火ガスを封止する封板が設けられた頭部を有するボンベと、上記ボンベを収容する収容体と、
上記封板の封止を解除するための撃針と、上記撃針を動作させてボンベ内部の消火ガスの噴出を開始させる押圧操作部と、上記噴出する消火ガスを所定の方向に噴射する噴射口を有する噴射構造部とを備え、
上記収容体はエアゾールやスプレー用の缶体であり、
上記缶体は、缶体上部の目金蓋がボンベの頭部に接合されて封板を外向けにした状態でボンベを収容し、上記噴射構造部は、上記ボンベの頭部と缶体との接合部に取り付けられていることを特徴とする消火ガス噴射器具。
【請求項２】
内部に充填された消火ガスを封止する封板が設けられた頭部を有するボンベと、
上記封板の封止を解除するための撃針と、上記撃針を動作させてボンベ内部の消火ガスの噴出を開始させる押圧操作部と、上記噴出する消火ガスを所定の方向に噴射する噴射口を有する噴射構造部と、上記ボンベを収容する収容体としてのエアゾールやスプレー用の缶体を構成する目金蓋および缶胴部を準備し、
上記缶体上部の目金蓋をボンベの頭部に接合したのち、上記目金蓋の外周部に缶胴部を接合することにより上記缶体にボンベを収容することを特徴とする消火ガス噴射器具の製造方法。
【発明の詳細な説明】
【技術分野】
【０００１】
本発明は、視覚的・感覚的に極めて操作しやすく、しかも安価に提供できる消火ガス噴射器具およびその製造方法に関するものである。
【背景技術】
【０００２】
従来から、ＣＯ２等の消火ガスが充填されたボンベを筒状のケースに収容した簡易手動消火ガス噴射器具が提案されている（例えば下記の特許文献１，２，３）
【特許文献１】特開平７−３１３６１５号公報
【特許文献２】特開平８−１９１９００号公報
【特許文献３】特開平９−２３９０５２号公報
【発明の開示】
【発明が解決しようとする課題】
【０００３】
上記特許文献１の消火ガス噴射器具は、ボンベの頭部サイドを手で叩くことによって撃針がボンベの頭部の封板を破り、カバー内に消火ガスを充満させ、カバー内に充満したガスをカバーの底部サイドに形成された噴射孔より噴射して消火する構造である。この消火ガス噴射器具は、ボンベの封板が打ち破られて噴出した消火ガスがカバー内に一旦充満し、カバーの底部に到達して噴射孔より噴射する過程で、高圧充填されていた消火ガスの圧力が大幅に減じられて消火能力が低下していた。さらに、ボンベのカバーは、噴出する消火ガスの圧力に十分耐えるとともに、高圧ガス噴出時の冷却から把持している手指を保護するために、２重方式が採用され、製造コストが高いという問題があった。
【０００４】
上記特許文献２の消火ガス噴射器具は、カバーの底部から露出したボンベの底部を手でたたくことによって撃針がボンベの頭部の封板を破り、ボンベの頭部から噴出した消火ガスを、ボンベの頭部に取り付けた上方カバー部に形成された噴射孔から噴射して消火する構造である。この消火ガス噴射器具は、カバーの底部からボンベの底部が露出しているため、高圧ガス噴出時にボンベが冷却されたときに、低温のボンベに手指が触れて損傷する危険がある。しかも、カバーの底部からボンベの底部が露出しているため、落下等の衝撃が加わったときに、ボンベとカバーのそれぞれに直接衝撃力が加わって、カバー等を構成する部材同士の接合部や、カバーとボンベとの接合部が損傷しやすいという問題がある。
【０００５】
上記特許文献３の消火ガス噴射器具は、撃針を備えた上方カバーがボンベの頭部にら着され、ボンベの底部には有底状下方カバーが固定されている。そして、上方カバーを左手で把持し、右手で有底状下方カバーを右方向に回動すると、上方カバーにボンベの頭部にねじ込まれて撃針がボンベの封板を破り、ボンベに充填されている消火ガスを上方カバーの噴射孔から噴射して消火する構造である。この消火ガス噴射器具は、ねじ込みによって撃針を封板に突き刺すため、操作が極めて煩雑である。
【０００６】
また、上記特許文献１および２の消火ガス噴射器具は、安全ピンを抜いてから消火ガスが噴出する噴出側と反対側を手で叩くことによって消火ガスの噴出を開始させるものであり、特許文献３の消火ガス噴射器具は、有底状下方カバーを回動させることにより消火ガスの噴出を開始させるものである。いずれの消火ガス噴射器具も、消火ガスを噴出させるのに、万人が慣れるものではない特殊な操作を必要とするため、事前に説明書を読んで操作方法を充分に理解していないと、火災というとっさの状況では使用者が慌ててしまい、スムーズかつ確実に操作して消火活動を行うことが困難である。
【０００７】
また、特許文献１および２の器具で叩き方が甘かったり、特許文献３の器具で回動が足りなかったりして、消火ガスの噴出が始まらないと、使用者は一層慌ててしまい、おかしいと思って噴出孔を覗き込みながら操作を行ってしまう危険性がある。このようなときに、突然消火ガスが噴出すると高圧の消火ガスが使用者の目に向かって噴射されることとなり、極めて危険なうえ、消火活動どころではなくなってしまう。
【０００８】
当然、製品には説明書等を添付することが行われるが、一般ユーザーの中には、消火器具を購入して準備しただけで安心してしまい、慌てずに操作できるまでに説明書を充分読み込むことを行わない者も少なからずいるのが実情であるし、説明書を一回読んで理解したとしても、火災のような突発的な事故は忘れた頃に起こるのが常であって、いざというときに操作方法を思い出せなかったり思い出すのに時間がかかったりして、充分な消火活動を行えないことも少なくないのが実情である。
【０００９】
さらに、上記特許文献１，２，３の消火ガス噴射器具は、いずれもボンベを収容する収容体として専用のカバーを必要とするため、カバーを製造するために専用の型を起し、成形して印刷まで行う必要があり、カバー自体に極めてコストがかかり、製品自体が高価なものとなっている。このように、火災等の事故に備えてあらかじめ準備しておくべき消火器具が高価でコストがかかっているため、一般ユーザーは火災の備えに購入すること自体をためらってしまい、消火器具の普及の妨げになっているのが実情である。
【００１０】
本発明は、上記のような事情に鑑みなされたもので、視覚的・感覚的に極めて操作しやすく、とっさのときでも万人がスムーズかつ確実に消火活動を行え、しかも安価に提供できる消火ガス噴射器具およびその製造方法の提供をその目的とする。
【課題を解決するための手段】
【００１１】
上記目的を達成するため、本発明の消火ガス噴射器具は、内部に充填された消火ガスを封止する封板が設けられた頭部を有するボンベと、上記ボンベを収容する収容体と、上記封板の封止を解除するための撃針と、上記撃針を動作させてボンベ内部の消火ガスの噴出を開始させる押圧操作部と、上記噴出する消火ガスを所定の方向に噴射する噴射口を有する噴射構造部とを備え、上記収容体はエアゾールやスプレー用の缶体であり、上記缶体は、缶体上部の目金蓋がボンベの頭部に接合されて封板を外向けにした状態でボンベを収容し、上記噴射構造部は、上記ボンベの頭部と缶体との接合部に取り付けられていることを要旨とする。
【００１２】
また、上記目的を達成するため、本発明の消火ガス噴射器具の製造方法は、内部に充填された消火ガスを封止する封板が設けられた頭部を有するボンベと、上記封板の封止を解除するための撃針と、上記撃針を動作させてボンベ内部の消火ガスの噴出を開始させる押圧操作部と、上記噴出する消火ガスを所定の方向に噴射する噴射口を有する噴射構造部と、上記ボンベを収容する収容体としてのエアゾールやスプレー用の缶体を構成する目金蓋および缶胴部を準備し、上記缶体上部の目金蓋をボンベの頭部に接合したのち、上記目金蓋の外周部に缶胴部を接合することにより上記缶体にボンベを収容することを要旨とする。
【発明の効果】
【００１３】
すなわち、本発明の消火ガス噴射器具は、ボンベを収容する収容体がエアゾールやスプレー用の缶体であり、上記缶体には、缶体上部の目金蓋がボンベの頭部に接合されて封板を外向けにした状態でボンベが収容され、上記ボンベの頭部と缶体との接合部に、撃針を動作させてボンベ内部の消火ガスの噴出を開始させる押圧操作部と、上記噴出する消火ガスを所定の方向に噴射する噴射口を有する噴射構造部が取り付けられている。
【００１４】
このため、ボンベの頭部から噴出した消火ガスは、頭部と缶体との接合部に取り付けられた噴射構造部の噴射口から噴射されるため、ボンベに充填された圧力で消火ガスを直接的に火元に作用させて消火することができ、消火能力が低下することがほとんどない。また、ボンベは缶体に収容されて直接露出しないため、高圧ガス噴出時に冷却された低温のボンベに手指が触れて損傷する危険がない。さらに、落下等の衝撃が加わったとしても、衝撃力は缶体に加わり、缶体の組成変形である程度衝撃が吸収されるため、ボンベと缶体との接合部や噴射構造部の取り付け部の損傷が防止される。
【００１５】
また、従来のようにカバーを回動させたり噴出側と反対側を叩いたりするのではなく、エアゾールやスプレー用の缶体上部に取り付けられた噴射構造部の押圧操作部を押圧することにより、噴射構造部の噴射口から消火ガスが噴射される。このように、視覚的・感覚的に極めてわかりやすく簡単な操作で消火を行うことができる。このように、エアゾールやスプレー用の缶体上部に設けられた押圧操作部を押圧するという、一般的なユーザーの万人が慣れ親しんだわかりやすい操作によって消火を行うことができるため、火災というとっさの状況で、仮に事前に説明書を読んでいなかったとしても、慌てたり操作方法を誤ったりすることなく、スムーズかつ確実に消火活動を行うことができる。
【００１６】
さらに、缶体上部の目金蓋がボンベの頭部に接合さた状態でボンベが収容され、上記ボンベの頭部と缶体との接合部に噴射構造部が取り付けられていることから、構造的な効率がよく、構造を簡素化することができる。
【００１７】
また、上述したような極めてわかりやすい操作で消火ガスを噴射するものであるため、従来のように、消火ガスの噴出が始まらなかったとしても、使用者がおかしいと思って噴出孔を覗き込みながら操作を行ってしまう危険性が激減し、高圧の消火ガスが使用者の目に向かって噴射されるような事故がほとんどなくなる。
【００１８】
さらに、従来のように専用のカバーを必要とせず、収容体としてエアゾールやスプレー用の缶体を利用するものであることから、大幅にコストダウンして安価に供給することができる。そして、火災に備えた準備コストが安くてすみ、消火器具の普及を大幅に促進することができ、火災による被害を低減することができる。
【００１９】
また、本発明の消火ガス噴射器具の製造方法は、上記缶体上部の目金蓋をボンベの頭部に接合したのち、上記目金蓋の外周部に缶胴部を接合することにより上記缶体にボンベを収容する。このように、あらかじめ目金蓋をボンベの頭部に接合してから、目金蓋の外周部に缶胴部を接合して缶体を形成すればよいことから、従来エアゾールやスプレー用の缶体を製造する際に使用していた装置をほとんどそのまま利用して本発明の消火ガス噴射器具を製造することができる。したがって、従来のように専用のカバーを製造する必要がなく、エアゾールやスプレー用の缶体およびその製造設備を利用するものであることから、大幅にコストダウンして安価に供給することができる。そして、火災に備えた準備コストが安くてすみ、消火器具の普及を大幅に促進することができ、火災による被害を低減することができる。
【発明を実施するための最良の形態】
【００２０】
つぎに、本発明を実施するための最良の形態を説明する。
【００２１】
図１は、本発明の消火ガス噴射器具の第１実施例を示す断面図である。
【００２２】
この消火ガス噴射器具は、内部に消火ガスが充填されたボンベ１と、上記ボンベ１を収容する収容体としての缶体２と、上記ボンベ１内の消火ガスを噴射する噴射構造部３とを備えている。
【００２３】
上記ボンベ１は、金属製でボンベ本体が全体として略カプセル状に形成され、内部に消火ガスとして例えば高圧のＣＯ２ガスが充填され、上部に上記消火ガスの噴出部としての頭部６が形成されている。上記頭部６は、外周面にネジ部が形成され、頂部の開口は内部の消火ガスを封止する封板７で封止されている。
【００２４】
缶体２は、エアゾールやスプレー用として用いられる缶体であり、金属板が成形されて構成され、上部の目金蓋１１と、円筒状の缶胴部１２と、底を塞ぐ底蓋１３とを備えて構成されている。
【００２５】
図２に示すように、上記目金蓋１１は、円盤状の蓋部１５の中央部が開口し、この開口縁に大略円筒状のネジ部１６が形成されている。上記目金蓋１１のネジ部１６は、その内周面に、ボンベ１の頭部６のネジ部とら合してボンベ１と缶体２とを接合するためのネジ面が形成され、外周面には、上記噴射構造部３に形成されたネジ部とら合して噴射構造部３を缶体２に取り付けるためのネジ面が形成されている。
【００２６】
上記缶胴部１２は、缶胴素材を円筒状に成形し、その両端部を接合して側部継目（図示せず）を形成して形成されている。また、上記底蓋１３は、上方に膨出したドーム状に形成されている。上記目金蓋１１と缶胴部１２とは、従来公知の二重巻締が行われた巻締部１７により接合され、缶胴部１２と底蓋１３も、従来公知の二重巻締が行われた巻締部１８により接合されている。
【００２７】
なお、上記缶体２としては、エアゾールやカセットコンロ用ボンベとして用いられる缶体が用いられるが、同様の形状を呈したものであれば、例えばシンナー容器として用いられる徳利缶のような缶体を使用することも可能であり、このような態様も本発明に含む趣旨である。
【００２８】
上記噴射構造部３は、上記ボンベ１の封板７の封止を解除するための撃針２０と、上記撃針２０を動作させてボンベ１内部の消火ガスの噴出を開始させる押圧操作部２１と、上記噴出する消火ガスを所定の方向に噴射する噴射口２２を有している。
【００２９】
上記噴射構造部３についてより詳しく説明すると、上部に押圧操作部２１が取り付けられた本体部２４と、上記本体部２４に上下移動可能に取り付けられたアクチュエータ部２５と、上記アクチュエータ部２５の下方への移動を規制する安全ピン２６とを備えている。
【００３０】
上記本体部２４の下部には、缶体２の目金蓋１１のネジ部１６にら合するネジキャップ部２８が形成されている。上記本体部２４のネジキャップ部２８の上側には、撃針２０の上下スライドをガイドする撃針ガイド部２９が形成されるとともに、上記アクチュエータ部２５の上下スライドをガイドするアクチュエータガイド部３０が形成されている。上記撃針ガイド部２９は撃針２０が挿通される円筒状に形成され、アクチュエータガイド部３０は、撃針ガイド部２９より大きな同心状の略円筒状に形成されている。
【００３１】
上記アクチュエータ部２５は、上記アクチュエータガイド部３０に上下スライド可能に嵌合しており、中央部に撃針２０が下向きに取り付けられている。また、上記アクチュエータ部２５には、消火ガスを前方に噴射するための噴射ノズル３２が設けられている。上記噴射ノズル３２は、上下方向に延びる撃針２０の内部通路と連通して横方向に延びる噴射通路３３が形成され、先端部に噴射口２２が形成されている。これにより、ボンベ１の頭部６に缶体２を介して取り付けられた噴射構造部３は、上記頭部６の上部開口から上向きに噴出する消火ガスを横向きに方向を変えて前方に向かって噴射するようになっている。
【００３２】
上記アクチュエータ部２５は、本体部２４の天井部に上面が当接して抜け止めされるようになっている。そして、アクチュエータ部２５の上面が本体部２４の天井部に当接した状態で、本体部２４とアクチュエータ部２５の間に形成された隙間に、安全ピン２６が嵌合されて不用意に撃針２０が封板７を突き破ってしまわないようになっている。
【００３３】
上記本体部２４には、上記アクチュエータ部２５を下方に押し込むための押圧操作部２１が取り付けられている。上記押圧操作部２１は、本体部２４の前方（すなわち噴射ノズル３２が形成された側）がヒンジ連結され、このヒンジ連結部３５の後方に作用部３６が、さらにその後方に操作部３７が設けられ、上記操作部３７を下方に押圧することにより、上記ヒンジ連結部３５を支点にして作用部３６がテコ作用でアクチュエータ部２５を下方に押し下げるようになっている。
【００３４】
そして、上記缶体２は、缶体２上部の目金蓋１１がボンベ１の頭部６に接合され、ボンベ１の封板７を上向け（外向け）にした状態でボンベ１を収容している。また、上記噴射構造部３は、上記ボンベ１の頭部６と缶体２との接合部に取り付けられている。
【００３５】
すなわち、上記ボンベ１は缶体２内に収容されているのであるが、収容された状態で、ボンベ１の頭部６のネジ部が、缶体２の目金蓋１１のネジ部１６内面のネジ面にら合し、ボンベ１と缶体２とが接合されているのである。また、上記のようにボンベ１が接合された缶体２の目金蓋１１のネジ部１６外周面のネジ面に、噴射構造部３のネジキャップ部２８がら合し、ボンベ１が収容された缶体２に噴射構造部３が取り付けられている（図１参照）。
【００３６】
上記ボンベ１が収容された缶体２のボンベ１と缶体２内面との間には所定の空間１０が形成されており、消火ガス噴射時に冷却されたボンベ１の冷熱が缶体２を把持する手指にほとんど伝わらないようになっている。
【００３７】
また、ボンベ１と缶体２内面との間には、缶体２内においてボンベ１を支持する支持部材３８が挿入されている。上記支持部材３８としては、ボンベ１の外周部に外嵌する嵌合部を有するとともに、外周部は缶体２の内面に内嵌するものであることが好ましい。この例では、缶体２内に収容される円筒形を呈し、ボンベ１の底部に嵌合する上部凹部と、缶体２の底蓋１３のドーム型の凸形状に嵌合する下部凹部とが形成され、上部凹部でボンベ１を支持するようになっている。このように、支持部材３８で缶体２内で、缶体２との接合部である頭部６と反対側のボンベ１の底部近傍を支持することにより、落下等の衝撃が加わったとしても、缶体２内でのボンベ１の位置が変わらず、缶体２とボンベ１との接合部の損傷が防止される。
【００３８】
つぎに、上記消火ガス噴射器具の動作について説明する。
【００３９】
まず、噴射構造部３のアクチュエータ部２５の動作を規制している安全ピン２６を抜き取る。ついで、噴射ノズル３２を前方に向けるよう、缶体２の上部側を手のひらと人差し指以外の４本の指で把持し、人差し指を押圧操作部２１の操作部３７に掛ける。この消火準備ができた状態で、人差し指を掛ける操作部３７の反対側に噴射口２２が設けられ、噴射口２２を火元に向けやすい。
【００４０】
そして、噴射ノズル３２先端の噴射口２２を火元に向けて、図４に示すように、人差し指で操作部３７を下方に押し下げる。すると、上記ヒンジ連結部３５を支点にして作用部３６がテコ作用でアクチュエータ部２５を下方に押し下げ、撃針２０の先端がボンベ１頭部６の封板７を突き破る。そうすると、ボンベ１に充填された高圧の消火ガスが、撃針２０の内部通路を通じて噴出し、アクチュエータ部２５の噴射通路を通って、火元に向けられた噴射口２２から勢いよく噴射され、消火を行うことができる。このように、ちょうど殺虫剤やヘアスプレーを噴射するような状態で消火ガス噴射器具を操作して消火活動を行うことができる。
【００４１】
つぎに、上記消火ガス噴射器具の製造方法について説明する。
【００４２】
本発明の方法では、上記缶体２上部の目金蓋１１をボンベ１の頭部６に接合したのち、上記目金蓋１１の外周部に缶胴部１２を接合することにより上記缶体２を形成して缶体２にボンベ１を収容することが行われる。
【００４３】
より詳しく説明すると、まず、上述したボンベ１と、噴射構造部３と、缶体２の構成部材である目金蓋１１，缶胴部１２，底蓋１３等を準備する。ついで、図５に示すように、上記缶体２上部の目金蓋１１をボンベ１の頭部６に接合する。このとき、ボンベ１の頭部６のネジ部を、缶体２の目金蓋１１のネジ部１６内面のネジ面にら合させて、ボンベ１と缶体２とを接合する。このとき、ネジによるら着と併せて接着剤やシール材等を併用することもできる。
【００４４】
つぎに、図６に示すように、ボンベ１が接合された目金蓋１１に対し、缶胴部１２を接合する。すなわち、目金蓋１１の外周部に形成された環状のビード部４０と、缶胴部１２の上端縁に形成されたフランジ部４１とを合わせ、従来公知の２重巻締を行って巻締部１７を形成する。
【００４５】
ついで、図７に示すように、缶胴部１２の下部開口から、缶胴部１２とボンベ１との隙間に、支持部材３８を挿入する。そして、図８に示すように、支持部材３８が挿入された缶胴部１２に対して底蓋１３を接合する。すなわち、缶胴部１２の下端縁に形成されたフランジ部４３に底蓋１３の外周部に形成された環状のビード部４２とを合わせ、従来公知の２重巻締を行って巻締部１８を形成する。このようにして、上記缶体２にボンベ１を収容する。
【００４６】
そして、ボンベ１が接合され収容された缶体２の目金蓋１１のネジ部１６外周面のネジ面に、噴射構造部３のネジキャップ部２８をら合させ、上記缶体２に噴射構造部３を取り付ける（図１参照）。このようにして本発明の消火ガス噴射器具をつくることができる。
【００４７】
図９および図１０は、本発明の消火ガス噴射器具の第２実施例を示す断面図である。
【００４８】
この例は、押圧操作部がトリガー式のトリガー操作部４５になっている。すなわち、トリガー操作部４５は、噴射構造部３の本体部２４の噴射ノズル３２が形成された側と反対の後方側にヒンジ連結されている。そして、上記ヒンジ連結部３５の前方に作用部３６が、さらにその前方において、下方に屈曲形成されたトリガー部４６が設けられ、上記トリガー部４６に人差し指を掛けて後方に引くことにより、上記ヒンジ連結部３５を支点にして作用部３６がテコ作用でアクチュエータ部２５を下方に押し下げるようになっている。
【００４９】
また、この例では、缶体２を構成する目金蓋１１が上向きに膨出する略ドーム状に形成されている。それ以外は上記第１実施例と同様であり、同様の部分には同じ符号を付している。
【００５０】
つぎに、上記消火ガス噴射器具の動作について説明する。
【００５１】
まず、噴射構造部３のアクチュエータ部２５の動作を規制している安全ピン２６を抜き取る。ついで、噴射ノズル３２を前方に向けるよう、缶体２の上部側を手のひらと人差し指以外の４本の指で把持し、人差し指をトリガー操作部４５のトリガー部４６に掛ける。そして、噴射ノズル３２先端の噴射口２２を火元に向けて、図１０に示すように、人差し指でトリガー部４６を後方に引く。すると、上記ヒンジ連結部３５を支点にして作用部３６がテコ作用でアクチュエータ部２５を下方に押し下げ、撃針２０の先端がボンベ１頭部６の封板７を突き破り、ボンベ１に充填された高圧の消火ガスが、撃針２０の内部通路を通じて噴出し、アクチュエータ部２５の噴射通路を通って、火元に向けられた噴射口２２から勢いよく噴射され、消火を行うことができる。このように、ちょうど掃除用洗剤等を噴射するような状態で消火ガス噴射器具を操作して消火活動を行うことができる。
【００５２】
以上のように、本発明の消火ガス噴射器具は、ボンベ１の頭部６から噴出した消火ガスは、頭部６と缶体２との接合部に取り付けられた噴射構造部３の噴射口２２から噴射されるため、ボンベ１に充填された圧力で消火ガスを直接的に火元に作用させて消火することができ、消火能力が低下することがほとんどない。また、ボンベ１は缶体２に収容されて直接露出しないため、高圧ガス噴出時に冷却された低温のボンベ１に手指が触れて損傷する危険がない。さらに、落下等の衝撃が加わったとしても、衝撃力は缶体２に加わり、缶体２の組成変形である程度衝撃が吸収されるため、ボンベ１と缶体２との接合部や噴射構造部３の取り付け部の損傷が防止される。
【００５３】
また、従来のようにカバーを回動させたり噴出側と反対側を叩いたりするのではなく、エアゾールやスプレー用の缶体２上部に取り付けられた噴射構造部３の押圧操作部２１を押圧することにより、噴射構造部３の噴射口２２から消火ガスが噴射される。このように、視覚的・感覚的に極めてわかりやすく簡単な操作で消火を行うことができる。このように、エアゾールやスプレー用の缶体２上部に設けられた押圧操作部２１を押圧するという、一般的なユーザーの万人が慣れ親しんだわかりやすい操作によって消火を行うことができるため、火災というとっさの状況で、仮に事前に説明書を読んでいなかったとしても、慌てたり操作方法を誤ったりすることなく、スムーズかつ確実に消火活動を行うことができる。
【００５４】
さらに、缶体２上部の目金蓋１１がボンベ１の頭部６に接合させた状態でボンベ１が収容され、上記ボンベ１の頭部６と缶体２との接合部に噴射構造部３が取り付けられていることから、構造的な効率がよく、構造を簡素化することができる。
【００５５】
また、上述したような極めてわかりやすい操作で消火ガスを噴射するものであるため、従来のように、消火ガスの噴出が始まらなかったとしても、使用者がおかしいと思って噴出孔を覗き込みながら操作を行ってしまう危険性が激減し、高圧の消火ガスが使用者の目に向かって噴射されるような事故がほとんどなくなる。
【００５６】
さらに、従来のように専用のカバーを必要とせず、収容体としてエアゾールやスプレー用の缶体２を利用するものであることから、大幅にコストダウンして安価に供給することができる。そして、火災に備えた準備コストが安くてすみ、消火器具の普及を大幅に促進することができ、火災による被害を低減することができる。
【００５７】
また、本発明の消火ガス噴射器具の製造方法は、上記缶体２上部の目金蓋１１をボンベ１の頭部６に接合したのち、上記目金蓋１１の外周部に缶胴部１２を接合することにより上記缶体２にボンベ１を収容する。このように、あらかじめ目金蓋１１をボンベ１の頭部６に接合してから、目金蓋１１の外周部に缶胴部１２を接合して缶体２を形成すればよいことから、従来エアゾールやスプレー用の缶体２を製造する際に使用していた装置をほとんどそのまま利用して本発明の消火ガス噴射器具を製造することができる。したがって、従来のように専用のカバーを製造する必要がなく、エアゾールやスプレー用の缶体２およびその製造設備を利用するものであることから、大幅にコストダウンして安価に供給することができる。そして、火災に備えた準備コストが安くてすみ、消火器具の普及を大幅に促進することができ、火災による被害を低減することができる。
【００５８】
なお、上記各実施例では、ボンベ１と缶体２との接合をネジによるら着によって行うようにしたが、これに限定するものではなく、接着剤による接合を行ってもよいし、ワンタッチ式の嵌合構造を採用することもできる。また、上記各実施例では、缶体２の底蓋１３として、ドーム形状のものを採用したが、これに限定するものではなく、平らな底蓋を採用することもできる。また、上記各実施例では、缶体２として、目金蓋１１、缶胴部１２、底蓋１３から構成されたものを使用したが、これに限定するものではなく、目金蓋１１と、底付きの缶胴部とから構成される缶体を採用することもできる。
【図面の簡単な説明】
【００５９】
【図１】本発明の消火ガス噴射器具の第１実施例を示す断面図である。
【図２】缶体を示す拡大断面図である。
【図３】噴射構造部を示す拡大断面図である。
【図４】上記第１実施例の動作状態を示す断面図である。
【図５】本発明の消火ガス噴射器具の製造方法を説明する図である。
【図６】上記消火ガス噴射器具の製造方法を説明する図である。
【図７】上記消火ガス噴射器具の製造方法を説明する図である。
【図８】上記消火ガス噴射器具の製造方法を説明する図である。
【図９】本発明の消火ガス噴射器具の第２実施例を示す断面図である。
【図１０】上記第２実施例の動作状態を示す断面図である。
【符号の説明】
【００６０】
１      ボンベ
２      缶体
３      噴射構造部
６      頭部
７      封板
１０      空間
１１      目金蓋
１２      缶胴部
１３      底蓋
１５      蓋部
１６      ネジ部
１７      巻締部
１８      巻締部
２０      撃針
２１      押圧操作部
２２      噴射口
２４      本体部
２５      アクチュエータ部
２６      安全ピン
２８      ネジキャップ部
２９      撃針ガイド部
３０      アクチュエータガイド部
３２      噴射ノズル
３３      噴射通路
３５      ヒンジ連結部
３６      作用部
３７      操作部
３８      支持部材
４０      ビード部
４１      フランジ部
４２      ビード部
４３      フランジ部
４５      トリガー操作部
４６      トリガー部
【図１】
2006333892.tif 000003
【図２】
2006333892.tif 000004
【図３】
2006333892.tif 000005
【図４】
2006333892.tif 000006
【図５】
2006333892.tif 000007
【図６】
2006333892.tif 000008
【図７】
2006333892.tif 000009
【図８】
2006333892.tif 000010
【図９】
2006333892.tif 000011
【図１０】
2006333892.tif 000012